(57)【要約】【課題】  容器内に他の容器から所要の液を吸入させ、適量ずつ滴下させることができる小容量のスポイド状吐出容器を提供すること。【解決手段】  容器本体と、容器本体の口部に嵌挿されたパイプとからなるスポイド状吐出容器であって、容器本体は、パイプ嵌挿筒を連設した口部と、押圧変形可能な胴部とを具備しており、パイプは、パイプ嵌挿筒内に、前後動自在、かつ液密的に嵌挿されていることを特徴とする。【選択図】  図１
2006188237.tif 000002
【特許請求の範囲】
【請求項１】
容器本体と、容器本体の口部に嵌挿されたパイプとからなるスポイド状吐出容器であって、
容器本体は、パイプ嵌挿筒を連設した口部と、押圧変形可能な胴部とを具備しており、
パイプは、パイプ嵌挿筒内に、前後動自在、かつ液密的に嵌挿されていることを特徴とするスポイド状吐出容器。
【請求項２】
容器本体が、柔軟性を有する透明な合成樹脂で成形され、
パイプの外周面に目盛が付されていることを特徴とする請求項１記載のスポイド状吐出容器。
【請求項３】
容器本体の口部と、パイプ後端部との間に、パイプ抜け出し防止のための係止機構を配設したことを特徴とする請求項１、２記載のスポイド状吐出容器。
【発明の詳細な説明】
【技術分野】
【０００１】
本発明は、スポイド状吐出容器、とくに、内容液を収納している容器内に、所要の液を吸入できるようにした吐出容器に関するものである。
【背景技術】
【０００２】
隔壁によって区分されたＡ、Ｂ二室より構成された容器であって、それぞれの室に異種の薬液を入れ、Ａ、Ｂ二室を押圧することによって、隔壁を破断し、両液を混合し、容器を押圧することにより容器先端のノズルから混合液を適量滴下するようにした分離収納、混合兼用容器は、従来より知られている（例えば、特許文献１、図１〜４に示す実施例参照）。
【０００３】
また、二枚のプラスチックフィルムでＡ、Ｂ両室を設け、各室に異なる薬液を収納するようにして接着し、使用にあたって、Ａ室、またはＢ室を指で押圧し、両室の間の比較的弱い接合部のみを拡開、剥離し、両液を相互に流通させながら混合させ、取り出し口のノッチを破り、開封して、混合薬液を適量滴下するようにした分離収納、混合兼用容器も、従来より知られている（例えば、特許文献１、図５に示す従来例参照）。
【特許文献１】特開平７−９６９７８号公報
【発明の開示】
【発明が解決しようとする課題】
【０００４】
しかしながら、上記特許文献１の図１〜４記載の従来容器では、Ａ、Ｂ二室にそれぞれ薬液を収納し、収納した二つの室を結合することによって容器を形成しており、二液を混合して注出することはできるが、容器内に他の容器から薬液を吸入することはできなかった。
また、二室を形成する容器、隔室部材、二室の結合部材と部品が多くなり、生産コストが高くつくという問題があった。
【０００５】
上記特許文献１の図５記載の従来容器は、収納された薬液をＡ、Ｂ室を交互に押圧することによって、相互に流通、混合させるようにしているが、容器内に他の容器から薬液を吸入することはできなかった。
【０００６】
また、薬液の収納にあたっては、下方のフィルムの所定の場所に、異なる薬液をそれぞれ収納し、二つの収納部の間と、周辺を上方フィルムでシールしなければならず、生産が簡単でないという問題があった。  
【０００７】
本発明は、上記問題を解決することを課題として、容器内に他の容器から所要の液を吸入させ、適量ずつ滴下させることができる小容量のスポイド状吐出容器を提供することを目的とする。
【課題を解決するための手段】
【０００８】
本発明は、上記の課題を解決するため、スポイド状吐出容器として、容器本体と、容器本体の口部に嵌挿されたパイプとからなるスポイド状吐出容器であって、容器本体は、パイプ嵌挿筒を連設した口部と、押圧変形可能な胴部とを具備しており、パイプは、パイプ嵌挿筒内に、前後動自在、かつ液密的に嵌挿されていることを特徴とする構成を採用する。
【０００９】
容器本体の実施例として、容器本体が、柔軟性を有する透明な合成樹脂で成形され、パイプの外周面に目盛が付されていることを特徴とする構成を採用する。
【００１０】
容器本体と、パイプの係止部の実施例として、容器本体の口部と、パイプ後端部との間に、パイプ抜け出し防止のための係止機構を配設したことを特徴とする構成を採用する。
【発明の効果】
【００１１】
容器本体は、容器本体の口部にパイプを前後動自在に、かつ液密的に嵌挿し、胴部を押圧変形可能としているので、パイプの前後動操作と、胴部押圧部の押圧操作により、他の容器から、所要の液の吸入が容易にできるようになった。
また、容器本体とパイプのみで構成されているので、製造が容易におこなわれ、生産コストを低減できた。
【発明を実施するための最良の形態】
【００１２】
次に、本発明のスポイド状吐出容器について、図面を参照して説明する。
図１において、Ａは容器本体、Ｂは容器本体Ａの口部に前後動自在に嵌挿されたパイプ、ＣはパイプＢの吐出口を密封するキャップである。
【００１３】
図１、２に示すように、容器本体Ａは、端部にパイプ嵌挿筒１を連設した口部２と、胴部３、底シール部４とから構成され、柔軟性を有する透明な合成樹脂によって成形されている。
パイプ嵌挿筒１と口部２は、断面円形で、口部２は、パイプ嵌挿筒１より拡径され、パイプ嵌挿筒１から口部２の下端面までパイプＢが嵌挿される嵌挿孔５が穿孔されている。
胴部３は、第１収納部６と押圧部を兼用する第２収納部７、および両収納部６、７を結び、内容液が流通する連結筒部８とからなっている。
【００１４】
パイプＢは、嵌挿孔５に摺動自在、かつ液密的に嵌挿される外径を有し、中心は流路１０となっており、先端には、吐出口１１が形成されている。
パイプＢ後端の開口１２の外周には、係止環１３が設けられ、パイプＢが口部２から抜け出さないようになっており、パイプＢの外周には、目盛１４が付けられ、パイプＢの前後動の長さを視認できるようになっている。
【００１５】
キャップＣは、パイプＢ外周に被嵌される頂壁１５と側周壁１６とを具えており、頂壁１５の中央には、パイプＢの吐出口１１を閉塞する栓体１７が設けられている。
【００１６】
吐出容器の組立は、容器本体Ａの成形後に底シール部４よりパイプＢを挿入し、パイプＢ先端の吐出口１１をパイプ嵌挿筒１より所定長さ突出させるようにして、パイプＢを、嵌挿孔５に嵌挿支持させる。
【００１７】
次いで、底シール部４より一定量の内容液を収納した後に、底シール部４を熱シールすることによって、内容液を収納した吐出容器を得ることができる。
また、内容液を、パイプＢより吸入して収納する場合には、パイプＢを嵌挿孔５に嵌挿支持させた後に、底シール部４を熱シールしてもよい。
【００１８】
次に、本発明吐出容器の使用態様と作用効果について説明する。
内容液の注出にあたっては、パイプＢ先端を摘んで引き出し、押圧部を兼用する第２収納部７を押圧すると、パイプＢの吐出口１１より所定の内容液を注出することができる。
【００１９】
容器内の内容液が残り少なくなったときには、図３に示すように、吐出容器を傾け、パイプＢを内方に押し込み、パイプＢ後端の開口１２を、収納されている内容液の液面より上昇させておく。
【００２０】
次いで、押圧部兼用の第２収納部７を押圧し、パイプＢ前端の吐出口１１を、吸入しようとする内容液を収納した容器の液中に入れ、押圧を解くと、押圧部の第２収納部７が復元して容器本体Ａ内が負圧となり、スポイド作用によって、吐出口１１より内容液を容器内に吸引することができる。
その際、パイプＢ前端の開口１２は、収納された液面より離れているので、押圧にあたって、内容液が注出されることはない。
【００２１】
液吸入を連続しておこなう場合には、吸引時に、パイプＢ前端の開口１２が液中に沈むことがないようパイプＢを押し込み、吸引操作を繰り返しておこなう。
その際、パイプＢに目盛１４が付してあるので、押し込み量を目盛１４を読んで確認することもできる。
以上のように、本発明の吐出容器では、他の容器から所要の液を吸入することができる。
【００２２】
次に、本発明のスポイド吐出容器の他の使用態様と、その作用効果について説明する。
まず、本スポイド容器を検査用容器として使用した場合について説明する。
検査用容器として使用する場合には、始めに、吸入によって、一定量の試薬を入れる。
次いで、前述のように、容器を傾け、パイプＢの開口１２を試薬の液面より上昇させ、パイプＢの吐出口１１を検査対象液に入れ、第２収納部を押圧、吸引操作をおこなうと、液が吸入され、試薬が吸入液と反応して、検査結果を現すことになる。
【００２３】
次に、異なる二液を収納する場合について、説明する。
内容液を収納しないで、パイプＢだけを封入した吐出容器を用い、パイプＢの先端から第１液を所要量吸引して収納し、つづいて、第２液を吸引して収納する。
この場合、連続吸引と同様に操作するので、比重に差があれば、第１液は、主として第１収納部に、第２液は、主として第２収納部に収納されることになる。
【００２４】
そこで、第１収納部６、および第２収納部７を交互に押圧すると、連続筒部８を通じて液が移動し、数回の押圧操作によって二液が均一に混合される。
【００２５】
次に、パイプの容器口部への係止機構にかかる変形実施例について、説明する。
前記実施形態では、パイプＢ後端に膨出環状の係止環１３を設けたが、ほかにも、図４に示すように、種々の形状を採用することができる。
【００２６】
第１例は、後端にロート状筒を設けたもので、図４（ａ）に示すように、パイプＢの後端を胴部３の第１収納部６の内周面に当接するロート状筒部２０とし、端部を開口２１としている。
液注出にあたって、ロート状筒部２０を、第１収納部６内周面に当接させることによって、ロート状の通路が形成され、流れの抵抗を少なくすることができる。
【００２７】
第２例は、嵌合によるもので、図４（ｂ）に示すように、嵌挿孔５の口部２の後方に位置する部分に、係合凹溝２２が設けられ、パイプＢの後端部には、係合凹溝２２に係合する係止突条２３が設けられている。
パイプＢを引き出し、係止突条２３を係合凹条２２に係合させるときには、パイプＢ後端の開口１２は、口部２の下端面と合致するようになっている。
【００２８】
第３例は、螺合によるものである。
図４（ｃ）に示すように、口部２の下端面から数条のねじ２５が螺設されている。
パイプＢの後端部には、ねじ２６が螺設されており、パイプＢを口部２に螺合するときには、パイプＢ後端の開口１２は、口部２の端面に位置するようになっている。
パイプＢの押し込み時には、パイプＢを数回廻して、口部２との螺合を外して、後方に押し込むことによって容易に移動させることができる。
【００２９】
前記実施形態では、容器本体の胴部として、二つの断面楕円形の液収納部と両収納部を結ぶ連結筒部とを具備しているが、胴部は、押圧変形可能であればよく、断面円形、または楕円形、或いは角形であってもよく、また、収納部は、二つにしなくてもよい。
【産業上の利用可能性】
【００３０】
本発明のスポイド状吐出容器は、容器本体と、容器本体の口部に摺動自在、かつ液密的に嵌挿されたパイプから構成されており、パイプを摺動させ、容器本体の胴部を押圧操作することによって、内容液の吸入がおこなわれ、その他にも異なる二液の吸入、混合が簡単におこなえるようになった。
【００３１】
スポイド状吐出容器として、広く利用することができ、薬剤、化粧料、その他の吐出容器として多くの分野に適応できるようになった。  
【図面の簡単な説明】
【００３２】
【図１】本発明のスポイド状吐出容器の一部断面側面図である。
【図２】容器本体の説明図で、（ａ）は正面図、（ｂ）は上面図である。
【図３】吐出容器の液吸引時の説明図である。
【図４】パイプの係止機構を説明する図で、（ａ）はロート状筒、（ｂ）は係合部材、（ｃ）はねじを用いた場合の説明図である。
【符号の説明】
【００３３】
Ａ      容器本体
Ｂ      パイプ
Ｃ      キャップ
１      パイプ嵌挿筒
２      口部
３      胴部
４      底シール部
５      嵌挿孔
６      第１収納部
７      第２収納部
８      連結筒部
１０    流路
１１    吐出口
１２、２１  開口
１３    係止環
１４    目盛
１５    頂壁
１６    側周壁
１７    栓体
２０    ロート状筒部
２２    係合凹溝
２３    係止突条
【図１】
2006188237.tif 000003
【図２】
2006188237.tif 000004
【図３】
2006188237.tif 000005
【図４】
2006188237.tif 000006